(57)【要約】【課題】カバーとカバー裏張りシート間にＩＣカードをサンドイッチ状態で強固に接着し、ＩＣカードをカバーに内蔵せしめた電子パスポートを提供する。よって折り曲げや外的衝撃からＩＣチップを有効に保護すると共に、パスポートからＩＣカード乃至ＩＣチップを取り出して改ざんする偽造を有効に防止する。【解決手段】カバー２とカバー裏張りシート３との間に、マウントシート５に個人情報記録用ＩＣチップ６を担持せしめたＩＣカード４を介在し、該カバー２とカバー裏張りシート３とＩＣカード４の三者を貼り合わせ積層構造にしてカバー２にＩＣカード４を保持せしめた電子パスポート。【選択図】        図２
2005178234.tif 000002
【特許請求の範囲】
【請求項１】
カバーとカバー裏張りシートとの間に、マウントシートに個人情報記録用ＩＣチップを担持せしめたＩＣカードを介在し、該カバーとカバー裏張りシートとＩＣカードの三者を貼り合わせ積層構造にしてカバーにＩＣカードを保持せしめたことを特徴とする電子パスポート。
【請求項２】
マウントシートに個人情報記録用ＩＣチップを担持せしめたＩＣカードを用意する；
上記ＩＣカードを形成するマウントシートの一方の表面に合成樹脂製の保護フィルムを貼り合わせると共に、同マウントシートの他方の表面にカバー裏張りシートを貼り合わせ、同時にＩＣカードを形成するマウントシートの後小口から張り出して延在するカバー裏張りシートと同保護フィルムを貼り合わせたＩＣカード担持シートを用意する；
上記ＩＣカード担持シートを形成するカバー裏張りシートの外表面に複数枚のビザシートを丁合し、上記保護フィルムと上記カバー裏張りシートと上記ビザシートとを上記ＩＣカードを形成するマウントシートの後小口に沿う線上において一緒に糸綴じしパスポート本体を形成する；
上記パスポート本体を形成するＩＣカード担持シートの保護フィルムの外表面にカバーを貼り合わせてカバーにＩＣカードを保持せしめたことを特徴とする電子パスポートの製造法。
【請求項３】
上記保護フィルムを上記ＩＣカードを形成するマウントシートの上記ＩＣチップが突出する側の表面に貼り合わせると共に、上記カバー裏張りシートを同マウントシートの上記ＩＣチップが突出する側とは反対側の表面に貼り合わせたことを特徴とする請求項２記載の電子パスポートの製造法。
【請求項４】
マウントシートに個人情報記録用ＩＣチップを担持せしめたＩＣカードを用意する；
上記ＩＣカードを形成するマウントシートの両表面に合成樹脂製の保護フィルムを夫々貼り合わせ、同時にＩＣカードを形成するマウントシートの後小口から張り出して延在する上記両保護フィルム同志を貼り合わせ、更に一方の保護フィルムの外表面にカバー裏張りシートを貼り合わせたＩＣカード担持シートを用意する；
上記ＩＣカード担持シートを形成するカバー裏張りシートの外表面に複数枚のビザシートを丁合し、上記両保護フィルムと上記カバー裏張りシートと上記ビザシートとを上記ＩＣカードを形成するマウントシートの後小口に沿う線上において一緒に糸綴じしパスポート本体を形成する；
上記パスポート本体を形成するＩＣカード担持シートの他方の保護フィルムの外表面にカバーを貼り合わせてカバーにＩＣカードを保持せしめたことを特徴とする電子パスポートの製造法。
【発明の詳細な説明】
【技術分野】
【０００１】
本発明は個人情報記録用ＩＣチップを内蔵せる電子パスポートとその製造法に関する。
【背景技術】
【０００２】
特許文献１，２に示すように、パスポートにおける個人情報記録手段として、個人情報の書き込み又は読み取り可能なＩＣチップを用いた電子パスポートが実施の端緒についている。
【０００３】
このＩＣチップはコイルアンテナを備え、非接触で多量の個人情報の書き込み・読み取りが可能であり、偽造防止手段として有効である。
【０００４】
他方、マレーシア国クアラルンプールに所在するＩｒｉｓ  Ｃｏｒｐｏｒａｔｉｏｎ  Ｂｅｒｈａｄから、パスポートへのＩＣチップの組み込みを目的とした個人情報記録用のＩＣカードが提供されており、このＩＣカードはパスポートのページ形成シートに適合する大きさを有するマウントシートの表面中央部に、上記個人情報記録用ＩＣチップを貼り付けてその表面を樹脂で密封した構造を有する。
【０００５】
上記ＩＣカードはＩＣチップを保護するために、マウントシートが比較的剛性の高い折れ曲がり難い板紙で形成されており、従ってこのマウントシートの後端縁をビザシートと一緒に糸綴じすることは困難であり、糸綴じ以外の方法でマウントシート（ＩＣカード）をパスポートに組み込むための具体的方法が種々試行されている。
【０００６】
例えば、バージンパスポートのゲッター部に沿って予め小幅のフィルムを糸綴じして置き、このフィルムの端縁にＩＣカードの端縁をヒートシールする、所謂後入れ方法が最も単純な方法として考えられる。
【０００７】
然しながら上記方法ではＩＣカードを他のビザシートと同様にページ形成シートとして取り扱うことができるが、上記ヒートシール部を剥離して改ざんする偽造行為が比較的容易に行える問題を有している。
【特許文献１】特開２００１−２８７４７７号公報
【特許文献２】特開２００２−４２０７６号公報
【発明の開示】
【発明が解決しようとする課題】
【０００８】
本発明は上記ＩＣカードを改ざん困難な構造でパスポートに組み込むことができ、又ＩＣチップの保護が適切に図れ、又ＩＣカードの組み込み作業が容易であり、加えて個人情報の書き込みと読み取りの便に資することができる電子パスポートとその製造法を提供するものである。
【課題を解決するための手段】
【０００９】
本発明に係る電子パスポートはカバーの裏側にカバー裏張りシートが接着剤を介して貼り合わせられ、該カバー裏張りシートとカバーとの間に接着剤を介してＩＣカードを介在した積層構造を有する。
【００１０】
即ちパスポート１ページ分の大きさを有する板紙製又は合成樹脂製のマウントシートに個人情報記録用ＩＣチップを担持せしめたＩＣカードを用い、該ＩＣカードを上記カバーとカバー裏張りシートとの間に介在し、カバーとカバー裏張りシートとＩＣカードの三者を貼り合わせて積層構造にし、よってカバーにＩＣカードを保持せしめた構造を有する。この電子パスポートは次の方法によって製造される。
【００１１】
マウントシートに個人情報記録用ＩＣチップを担持せしめたＩＣカードを用意する。
【００１２】
次に上記ＩＣカードの一方の表面に合成樹脂製の保護フィルムを貼り合わせる。上記ＩＣカードはマウントシートの表面中央部から僅かに突出しており、好ましくは上記保護フィルムは上記マウントシートの表面から突出するＩＣチップの表面を覆うように貼り合わせる。
【００１３】
合成樹脂製の保護フィルムは柔軟性を富有し、この保護フィルムはマウントシートから突出しているＩＣチップに順応して変形し、健全に貼り合わせることができる。
【００１４】
上記貼り合わせ方法としては、ヒートシール、超音波シール、高周波シールの何れかを適用する。好ましくは保護フィルムの表面にコーティングしてある接着剤を熱プレスによって軟化しつつ、マウントシートの表面並びにＩＣチップの表面に貼り合わせる。
【００１５】
次に上記ＩＣカードの他方の表面、即ちマウントシートの保護フィルムを貼付した側とは反対側の表面に紙製又は合成樹脂製のカバー裏張りシートを貼り合わせ、同時にＩＣカードを形成するマウントシートの後小口から張り出して延在するカバー裏張りシートと同保護フィルムを貼り合わせ、よって保護フィルムとカバー裏張りシートとの間にＩＣカードをサンドイッチ状態に積層したＩＣカード担持シートを形成する。
【００１６】
又は上記カバー裏張りシートを先にＩＣカードのＩＣチップが突出する側とは反対側の表面に貼り合わせ、次に保護フィルムをＩＣカードのＩＣチップが突出する側の表面に貼り合わせて上記ＩＣカード担持シートを形成する。
【００１７】
上記カバー裏張りシートはその内表面に接着剤を塗布し、該接着剤塗布面をマウントシートに押し付けてマウントシートの表面に貼り合わせる方法を採る。
【００１８】
次に上記ＩＣカード担持シートを形成するカバー裏張りシートの外表面に複数枚のビザシートを丁合し、上記ＩＣカード担持シートとビザシートとを糸綴じし、パスポート本体を形成する。即ち上記保護フィルムと上記カバー裏張りシートと上記ビザシートとを、上記ＩＣカードを形成するマウントシートの後小口に沿う線上において一緒に糸綴じしパスポート本体を形成する。
【００１９】
次に上記パスポート本体を形成するＩＣカード担持シートの外表面、即ちＩＣカード担持シートを形成する保護フィルムの外表面にカバーを貼り合わせ、よってカバーにＩＣカードを保持せしめる。
【００２０】
上記カバーはその内表面に接着剤を塗布し、該接着剤塗布面を上記保護フィルムの外表面に押し付けて、上記ＩＣカード担持シートにカバーを貼り合わせる方法を採る。
【００２１】
更に上記電子パスポートの他の製造法について説明する。
【００２２】
マウントシートに個人情報記録用ＩＣチップを担持せしめたＩＣカードを用意する。
【００２３】
上記ＩＣカードを形成するマウントシートの両表面に合成樹脂製の保護フィルムを夫々貼り合わせ、同時にＩＣカードを形成するマウントシートの後小口から張り出して延在する上記両保護フィルム同志を貼り合わせ、更に一方の保護フィルムの外表面にカバー裏張りシートを貼り合わせたＩＣカード担持シートを用意する。
【００２４】
次に上記ＩＣカード担持シートを形成するカバー裏張りシートの外表面に複数枚のビザシートを丁合し、上記両保護フィルムと上記カバー裏張りシートと上記ビザシートとを上記ＩＣカードを形成するマウントシートの後小口に沿う線上において一緒に糸綴じしパスポート本体を形成する。
【００２５】
次に上記パスポート本体を形成するＩＣカード担持シートの他方の保護フィルムの外表面にカバーを貼り合わせ、よってカバーにＩＣカードを保持せしめる。
【発明の効果】
【００２６】
上記パスポートはカバーとカバー裏張りシート間にＩＣカードをサンドイッチ状態で強固に接着し、ＩＣカードをカバーに内蔵せしめた構造を有する。
【００２７】
よって折り曲げや外的衝撃から  ＩＣチップを有効に保護すると共に、パスポートからＩＣカード乃至ＩＣチップを取り出して改ざんすることが極めて困難な、偽造防止に有効なパスポートを提供できる。
【００２８】
又パスポートへのＩＣカードの組み込み作業が容易であり、加えてパスポートの最外部に存し且つ剛性の高いＩＣカード内蔵カバーの表面から無線による個人情報の書き込みと読み取りが容易に行える。
【発明を実施するための最良の形態】
【００２９】
以下本発明を実施するための最良の形態を図１乃至図１１に基づき説明する。
図５に示すように、本発明に係る電子パスポート１に用いるＩＣカード４は、比較的剛性の高い板紙又は合成樹脂シートから成るマウントシート５の表面中央部に個人情報記録用のＩＣチップ６を担持している。
【００３０】
即ちＩＣカード４はマウントシート５の表面中央部にコイルアンテナ６ａを有するＩＣチップ６を貼り付け、その表面を樹脂にて覆い密封した構造を有する。
【００３１】
図１、図２、図３、図４に示すように、電子パスポート１は上記ＩＣカード４をカバー２とカバー裏張りシート３との間、即ちフロントカバー２とカバー裏張りシート３との間、又はバックカバー２とカバー裏張りシート３との間に介在した積層貼り構造を有する。
【００３２】
即ち電子パスポート１はＩＣカード４を形成するマウントシート５を、カバー２とカバー裏張りシート３との間に介在し、よってマウントシート５とカバー２間の中央部にＩＣチップ６を介在した状態を形成し、該カバー２とカバー裏張りシート３とＩＣカード４の三者を貼り合わせ、カバー２にＩＣカード４を保持せしめた構造を有する。
【００３３】
上記ＩＣカード４、即ちマウントシート５はパスポート１の１ページ分の大きさを有し、同カード４の全面をカバー２とカバー裏張りシート３の１ページ分に相当する面域に接着し、積層構造を形成している。
【００３４】
従ってマウントシート５とカバー２とカバー裏張りシート３とは、夫々の天小口２１と地小口２２と前小口２３が同一線上に存するように積層される。
【００３５】
図２は上記ＩＣカード４をカバー２に内蔵する手段として、図３に示す合成樹脂製の保護フィルム７を使用せずに、ＩＣカード４をカバー２とカバー裏張りシート３間にダイレクトに介在し、積層した場合を示す。
【００３６】
図６は上記図２に示す電子パスポート１の製造法の一例を示しており、以下該製造法について説明する。
【００３７】
図６Ａに示すように、上記ＩＣカード４を形成するマウントシート５のＩＣチップ６が突出した側の表面に、紙製又は合成樹脂製のカバー裏張りシート３を貼り合わせたＩＣカード担持シート１０を用意する。
【００３８】
上記カバー裏張りシート３はパスポート１の２ページ分に相当する大きさを有し、その片半分、即ち１ページ分に相当する面域に上記マウントシート５を貼り合わせ、他の片半分が上記マウントシート５の後小口９から張り出して延在している。
【００３９】
カバー裏張りシート３はその表面に接着剤８を塗布し、図６Ａ中矢印で示すように、該接着剤塗布面を上記マウントシート５の表面及びＩＣチップ６の表面に押し付けて両者５，６に貼り合わせる方法を採る。
【００４０】
又はカバー裏張りシート３の表面に予め熱可塑性接着剤をコーティングして置き、熱プレスにて加圧しつつ加熱することによりＩＣカード４にカバー裏張りシート３をヒートシールする。
【００４１】
従ってＩＣカード担持シート１０は、カバー裏張りシート３の片半分にＩＣカード４を接着剤８を介して貼り合わせ、他の片半分を側方へ延出した構造を有する。
【００４２】
例えば図７に示すように、回転吸着ロール１５の下死点へ向け上記カバー裏張りシート３を給紙して、同吸着ロール１５の周面に沿い吸着移送し、この移送過程で糊付けローラー１６によりカバー裏張りシート３の外表面の片半分に接着剤８を塗布し、他方上記回転吸着ロール１５の上死点へ向けＩＣカード４を給送し、該吸着ロール１５の上死点において上記カバー裏張りシート３の片半分（接着剤８の塗布面）に重ね合わせ、更に該重ね合わせシートをプレスロール１７間に供給し、ゴムロール等で加圧してカバー裏張りシート３の片半分に接着剤８を介してＩＣカード４を貼り合わせ、よって上記ＩＣカード担持シート１０を形成する。
【００４３】
次に図６Ｂに示すように、上記ＩＣカード担持シート１０を形成するカバー裏張りシート３の外表面、即ちＩＣカード４とは反対側の表面に複数枚のビザシート１１を丁合し、該ビザシート１１とカバー裏張りシート３とを、上記ＩＣカード４を形成するマウントシート５の後小口９に沿う線上において糸綴じしパスポート本体１′を形成する。
【００４４】
即ちＩＣカード４を形成するマウントシート５の後小口９に沿うカバー裏張りシート３とビザシート１１の中央線上において両者３，１１をミシンを用いて糸綴じし、パスポート本体１′を形成する。換言すると、ＩＣカード担持シート１０とビザシート１１とを糸綴じし、パスポート本体１′を形成する。
【００４５】
次に図６Ｃに示すように、上記糸綴じされたパスポート本体１′を形成するＩＣカード担持シート１０の外表面、即ちＩＣカード４を形成するマウントシート５の外表面にカバー２を貼り合わせ、よって図２に示すカバー２にＩＣカード４を保持せしめた電子パスポート１を形成する。
【００４６】
上記カバー２はその内表面に接着剤１４を塗布し、図６Ｃ中矢印で示すように、該接着剤１４の塗布面をＩＣカード４のＩＣチップ６が突出する側とは反対側の表面（マウントシート５の外表面）に押し付け、同時にマウントシート５の後小口９から延在するカバー裏張りシート３の表面に押し付け、両者２，３を貼り合わせる方法を採る。
【００４７】
従ってカバー裏張りシート３とカバー２とは接着剤１４を介して貼り合わせられ、同様にカバー２とマウントシート５とは接着剤１４を介して貼り合わせられ、更にカバー裏張りシート３とマウントシート５とＩＣチップ６は接着剤８を介して貼り合わせられた積層構造を有する。
【００４８】
図３は上記ＩＣカード４をカバー２に内蔵する手段として、合成樹脂製の保護フィルム７を使用してＩＣカード４をカバー２とカバー裏張りシート３間に介在し、積層した場合を示す。
【００４９】
図８は上記図３に示す電子パスポート１の製造法の一例を示しており、以下該製造法について説明する。
【００５０】
前記と同様、上記パスポート１の１ページ分の大きさを有するマウントシート５に、個人情報記録用ＩＣチップ６を担持せしめたＩＣカード４を用意する。
【００５１】
上記マウントシート５はパスポート１の２ページ分の大きさにし、即ちパスポート１の複数ページ分の大きさにし、該マウントシート５に複数のＩＣチップ６を担持させ、爾後的に１ページ分の大きさに切断して使用することができる。
【００５２】
図８Ａに示すように、上記ＩＣカード４の一方の表面に合成樹脂製の保護フィルム７を接着剤８′を介して貼り合わせる。
【００５３】
上記ＩＣカード４はマウントシート５の表面中央部から僅かに突出しており、好ましくは上記保護フィルム７は上記マウントシート５の表面から突出するＩＣチップ６の表面を覆うように貼り合わせる。
【００５４】
従ってＩＣカードを形成するマウントシート５及びＩＣチップ６は接着剤８′を介して保護フィルム７に貼り合わせられる。
【００５５】
合成樹脂製の保護フィルム７は柔軟性を富有し、この保護フィルム７はマウントシート５から突出しているＩＣチップ６に順応して健全に貼り合わせることができる。
【００５６】
上記保護フィルム７の貼り合わせ方法としては、ヒートシール、超音波シール、高周波シールの何れかを適用する。好ましくは保護フィルム７の表面にコーティングしてある熱可塑性接着剤８′を熱プレスによって軟化し、マウントシート５の表面並びにＩＣチップ６の表面に接着剤８′を介して貼り合わせる。
【００５７】
上記保護フィルム７はパスポート１の２ページ分を形成する大きさを有するものを用い、該保護フィルム７の１ページ分の面域に上記ＩＣカード４の全面を接着し積層する。従って保護フィルム７はＩＣカード４を形成するマウントシート５の後小口９から１ページ分だけ延出している。
【００５８】
又は保護フィルム７は図８Ａ中矢印Ｗで示すように、ＩＣカード４を形成するマウントシート５の後小口９から小幅の糸綴じ代１２を張り出す大きさを有する。
【００５９】
次に図８Ｂに示すように、上記ＩＣカード４の他方の表面、即ちマウントシート５のＩＣチップ６が突出する側とは反対側の表面に紙製又は合成樹脂製のカバー裏張りシート３を接着剤１３を介して貼り合わせ、同時にＩＣカード４を形成するマウントシート５の後小口９から張り出して延在するカバー裏張りシート３と同保護フィルム７を接着剤１３を介して貼り合わせる。
【００６０】
即ちＩＣカード４を形成するマウントシート５の後小口９から延在する１ページ分の大きさを有するカバー裏張りシート３と、同マウントシート５の後小口９から延在する１ページ分の大きさを有する保護フィルム７とを接着剤１３を介して貼り合わせる。
【００６１】
又はＩＣカード４を形成するマウントシート５の後小口９から延在する１ページ分の大きさを有するカバー裏張りシート３と、同マウントシート５の後小口９から延在する保護フィルム７の糸綴じ代１２とを接着剤１３を介して貼り合わせる。
【００６２】
よって保護フィルム７とカバー裏張りシート３間にＩＣカード４を積層したＩＣカード担持シート１０を形成する。
【００６３】
又は上記カバー裏張りシート３を先にＩＣカード４の一方の表面に接着剤１３を介し貼り合わせ、次に保護フィルム７をＩＣカード４の他方の表面に接着剤８′を介し貼り合わせて上記ＩＣカード担持シート１０を形成する。
【００６４】
上記カバー裏張りシート３はその内表面に接着剤１３を塗布し、該接着剤１３の塗布面をマウントシート５の表面に押し付けて両者３，５を貼り合わせる方法を採る。
【００６５】
上記カバー２とマウントシート５と保護フィルム７とカバー裏張りシート３とは、夫々の天小口２１と地小口２２と前小口２３が同一線上に存するように積層される。
【００６６】
図９は図８Ａの保護フィルム７の貼付工程と、図８Ｂのカバー裏張りシート３の貼付工程を実施する装置を例示している。
【００６７】
図９に示すように、ＩＣカード４を水平な搬送路１８の上面に平置きしつつ前方へ間欠移送し、該移送過程で保護フィルムを多重巻きした原反ロール７′から保護フィルムを巻出しつつ所定寸法に切断し、該所定寸法に切断された保護フィルム７の片半分を上記停止しているＩＣカード４の表面に重ね合わせ、両者７，４の前小口２３を一致させて多点付け熱プレス装置１９にて仮付けする。
【００６８】
次に上記保護フィルム７にＩＣカード４を仮付けしたものを搬送路１８に沿って前方へ間欠移送し、その停止時に保護フィルム７の片半分の上面を熱プレス盤２０により加圧しつつ加熱し、よって保護フィルム７の重ね合わせ面にコーティングした熱可塑性接着剤８′を軟化してＩＣカード４の重ね合わせ面に貼り合わせ、前方へ搬出する。
【００６９】
上記搬送路１８の搬出端に回転吸着ロール１５を配置し、該吸着ロール１５の下死点へ向け上記カバー裏張りシート３を給紙して、同吸着ロール１５の周面に沿い上死点へ向け吸着移送し、この移送過程で糊付けローラー１６によりカバー裏張りシート３の外表面に接着剤１３を塗布し、他方上記回転吸着ロール１５の上死点へ向け上記保護フィルム７にＩＣカード４を貼付したものを給送し、該吸着ロール１５の上死点において上記カバー裏張りシート３の外表面（接着剤１３の塗布面）に重ね合わせ、更に該重ね合わせシートをプレスロール１７間に供給し、ゴムロール等で加圧してカバー裏張りシート３を接着剤１３を介して保護フィルム７とＩＣカード４とに貼り合わせ、よって上記ＩＣカード担持シート１０を形成する。
【００７０】
次に図８Ｃに示すように、上記ＩＣカード担持シート１０を形成するカバー裏張りシート３の外表面に複数枚のビザシート１１を丁合し、ＩＣカード担持シート１０とビザシート１１とをミシンを用いて糸綴じする。
【００７１】
即ち上記保護フィルム７と上記カバー裏張りシート３と上記ビザシート１１とを、上記ＩＣカード４を形成するマウントシート５の後小口９に沿う線上において一緒に糸綴じしパスポート本体１′を形成する。
【００７２】
上記保護フィルム７がパスポート１の２ページ分の大きさを有する場合には、ＩＣカード４を形成するマウントシート５の後小口９に沿う中央線上において糸綴じする。又保護フィルム７が糸綴じ代１２を有する場合には、該糸綴じ代１２をＩＣカード４を形成するマウントシート５の後小口９に沿う線上において糸綴じし、パスポート本体１′を形成する。
【００７３】
次に図８Ｄに示すように、上記糸綴じされたパスポート本体１′を形成するＩＣカード担持シート１０の外表面にカバー２を貼り合わせ、よって図３に示すカバー２にＩＣカード４を保持せしめた電子パスポート１を形成する。
【００７４】
即ち上記糸綴じされたＩＣカード担持シート１０を形成する保護フィルム７の外表面にカバー２を貼り合わせる。
【００７５】
上記カバー２はその内表面に接着剤１４を塗布し、該接着剤１４を介して上記ＩＣカード担持シート１０を形成する保護フィルム７の外表面に貼り合わせる方法を採る。
【００７６】
図４は上記ＩＣチップ６、即ちＩＣカード４をカバー２に内蔵する手段として、２枚の合成樹脂製保護フィルム７ａ，７ｂを使用してＩＣカード４をカバー２とカバー裏張りシート３間に介在し、積層した場合を示す。
【００７７】
図１０は上記図４に示す電子パスポート１の製造法の一例を示しており、以下該製造法について説明する。
【００７８】
前記と同様、上記パスポート１の１ページ分の大きさを有するマウントシート５に、個人情報記録用ＩＣチップ６を担持せしめたＩＣカード４を用意する。
【００７９】
上記マウントシート５はパスポート１の２ページ分の大きさにし、即ちパスポート１の複数ページ分の大きさにし、該マウントシート５に複数のＩＣチップ６を担持させ、爾後的に１ページ分の大きさに切断して使用することができる。
【００８０】
図１０Ａに示すように、上記ＩＣカード４の一方の表面、即ちマウントシート５の一方の表面に合成樹脂製の第１保護フィルム７ａを接着剤８′を介して貼り合わせる。
【００８１】
次に図１０Ｂに示すように、上記ＩＣカード４の他方の表面、即ちマウントシート５の他方の表面に合成樹脂製の第２保護フィルム７ｂを接着剤８′を介して貼り合わせる。
【００８２】
上記ＩＣカード４はマウントシート５の表面中央部から僅かに突出しており、上記第１保護フィルム７ａ又は第２保護フィルム７ｂは上記マウントシート５の表面から突出するＩＣチップ６の表面を覆うように貼り合わせる。
【００８３】
従ってＩＣカード４を形成するマウントシート５及びＩＣチップ６は接着剤８′を介して第１保護フィルム７ａ又は第２保護フィルム７ｂ間に貼り合わせられる。
【００８４】
合成樹脂製の保護フィルム７ａ，７ｂは柔軟性を富有し、この保護フィルム７ａ，７ｂはマウントシート５から突出しているＩＣチップ６に順応して健全に貼り合わせることができる。
【００８５】
上記第１，第２保護フィルム７ａ，７ｂの貼り合わせ方法としては、ヒートシール、超音波シール、高周波シールの何れかを適用する。好ましくは保護フィルム７ａ，７ｂの表面にコーティングしてある熱可塑性接着剤８′を熱プレスによって軟化し、マウントシート５の表面並びにＩＣチップ６の表面に接着剤８′を介して貼り合わせる。
【００８６】
上記第１，第２保護フィルム７ａ，７ｂはパスポート１の２ページ分を形成する大きさを有するものを用い、該保護フィルム７ａ，７ｂの１ページ分の面域に上記ＩＣカード４の全面を接着し積層する。従って保護フィルム７ａ，７ｂはＩＣカード４を形成するマウントシート５の後小口９から１ページ分だけ延出している。
【００８７】
又は保護フィルム７ａ，７ｂは図１０Ｂ中矢印Ｗで示すように、ＩＣカード４を形成するマウントシート５の後小口９から小幅の糸綴じ代１２を張り出す大きさを有する。
【００８８】
次に図１０Ｃに示すように、上記一方の保護フィルム７ａ又は７ｂの外表面に紙製又は合成樹脂製のカバー裏張りシート３を接着剤１３を介して貼り合わせ、同時にＩＣカード４を形成するマウントシート５の後小口９から張り出して延在するカバー裏張りシート３と同保護フィルム７ａ又は７ｂを接着剤１３を介して貼り合わせる。
【００８９】
即ちＩＣカード４を形成するマウントシート５の後小口９から延在する１ページ分の大きさを有するカバー裏張りシート３と、同マウントシート５の後小口９から延在する１ページ分の大きさを有する保護フィルム７ａ又は７ｂとを接着剤１３を介して貼り合わせる。
【００９０】
又はＩＣカード４を形成するマウントシート５の後小口９から延在する１ページ分の大きさを有するカバー裏張りシート３と、同マウントシート５の後小口９から延在する保護フィルム７ａ又は７ｂの糸綴じ代１２とを接着剤１３を介して貼り合わせる。
【００９１】
よって第１保護フィルム７ａと第２保護フィルム７ｂ間にＩＣカード４をサンドイッチ状態で積層し、更にカバー裏張りシート３を貼付したＩＣカード担持シート１０を形成する。
【００９２】
上記カバー裏張りシート３はその内表面に接着剤１３を塗布し、該接着剤１３の塗布面を第１保護フィルム７ａ又は第２保護フィルム７ｂの表面に押し付けて両者を貼り合わせる方法を採る。
【００９３】
上記カバー２とマウントシート５と第１，第２保護フィルム７ａ，７ｂとカバー裏張りシート３とは、夫々の天小口２１と地小口２２と前小口２３が同一線上に一致するように積層される。
【００９４】
図１１は図１０Ａの第１保護フィルム７ａの貼付工程と、図１０Ｂの第２保護フィルム７ｂの貼付工程と、図１０Ｃのカバー裏張りシート３の貼付工程を実施する装置を例示している。
【００９５】
図１１に示すように、ＩＣカード４を水平な搬送路の上面に平置きしつつ前方へ間欠移送し、該移送過程で第１保護フィルムを多重巻きした原反ロール７′から第１保護フィルム７ａを巻出しつつ所定寸法に切断し、該所定寸法に切断された第１保護フィルム７ａの片半分を上記停止しているＩＣカード４の一方の表面、即ちマウントシート５の一方の表面に重ね合わせ、両者７ａ，４の前小口２３を一致させて多点付け熱プレス装置１９にて前小口２３に沿い多点付け（仮付け）する。
【００９６】
次に上記第１保護フィルム７ａにＩＣカード４を仮付けしたものを搬送路に沿って前方へ間欠移送し、その停止時に保護フィルム７ａの片半分の上面を熱プレス盤２０により加圧しつつ加熱し、よって保護フィルム７ａの重ね合わせ面にコーティングした熱可塑性接着剤８′を軟化してＩＣカード４の重ね合わせ面にヒートシールし、前方へ搬出する。
【００９７】
次に上記第１保護フィルム７ａとＩＣカード４の貼り合わせ体を反転して前方へ間欠移送し、該移送過程で第２保護フィルムを多重巻きした原反ロール７′から第２保護フィルム７ｂを巻出しつつ所定寸法に切断し、該所定寸法に切断された第２保護フィルム７ｂの片半分を上記停止しているＩＣカード４の他方の表面、即ちマウントシート５の他方の表面に重ね合わせ、両者７ｂ，５の前小口２３を一致させて多点付け熱プレス装置１９にて前小口２３に沿い多点付け（仮付け）する。
【００９８】
次に上記第２保護フィルム７ｂにＩＣカード４を仮付けしたものを搬送路に沿って前方へ間欠移送し、その停止時に第２保護フィルム７ｂの片半分の上面を熱プレス盤２０により加圧しつつ加熱し、よって第２保護フィルム７ｂの重ね合わせ面にコーティングした熱可塑性接着剤８′を軟化してＩＣカード４の重ね合わせ面にヒートシールし、前方へ搬出する。
【００９９】
上記搬送路の搬出端に回転吸着ロール１５を配置し、該吸着ロール１５の下死点へ向け上記カバー裏張りシート３を給紙して、同吸着ロール１５の周面に沿い上死点へ向け吸着移送し、この移送過程で糊付けローラー１６によりカバー裏張りシート３の外表面に接着剤１３を塗布し、他方上記回転吸着ロール１５の上死点へ向け上記第１，第２保護フィルム７ａ，７ｂとＩＣカード４の貼り合わせ体を給送して該吸着ロール１５の上死点において上記カバー裏張りシート３の外表面（接着剤１３の塗布面）に重ね合わせ、更に該重ね合わせシートをプレスロール１７間に供給し、ゴムロール等で加圧してカバー裏張りシート３を接着剤１３を介して第１保護フィルム７ａ又は第２保護フィルム７ｂに貼り合わせ、よって上記ＩＣカード担持シート１０を形成する。
【０１００】
次に図１０Ｄに示すように、上記ＩＣカード担持シート１０を形成するカバー裏張りシート３の外表面に複数枚のビザシート１１を丁合し、ＩＣカード担持シート１０とビザシート１１とをミシンを用いて糸綴じする。
【０１０１】
即ち上記第１，第２保護フィルム７ａ，７ｂと上記カバー裏張りシート３と上記ビザシート１１とを、上記ＩＣカード４を形成するマウントシート５の後小口９に沿う線上において一緒に糸綴じしパスポート本体１′を形成する。
【０１０２】
上記第１，第２保護フィルム７ａ，７ｂがパスポート１の２ページ分の大きさを有する場合には、ＩＣカード４を形成するマウントシート５の後小口９に沿う中央線上において糸綴じする。
【０１０３】
又保護フィルム７が糸綴じ代１２を有する場合には、該糸綴じ代１２をＩＣカード４を形成するマウントシート５の後小口９に沿う線上において糸綴じし、パスポート本体１′を形成する。
【０１０４】
次に図１０Ｅに示すように、上記糸綴じされたパスポート本体１′を形成するＩＣカード担持シート１０の外表面にカバー２を貼り合わせ、よって図４に示すカバー２にＩＣカード４を保持せしめた電子パスポート１を形成する。
【０１０５】
即ち上記糸綴じされたＩＣカード担持シート１０を形成する第１保護フィルム７ａ又は第２保護フィルム７ｂの外表面にカバー２を貼り合わせる。
【０１０６】
上記カバー２はその内表面に接着剤１４を塗布し、該接着剤１４を介して上記ＩＣカード担持シート１０を形成する保護フィルム７の外表面に貼り合わせる方法を採る。
【図面の簡単な説明】
【０１０７】
【図１】ＩＣカードを用いてカバーにＩＣチップを内蔵せしめた電子パスポートを示す斜視図。
【図２】ＡはカバーにＩＣチップを内蔵する第１内蔵例を該内蔵部を拡大して示す図１におけるパスポートのＡ−Ａ線断面図、Ｂは同Ｂ−Ｂ線断面図。
【図３】ＡはカバーにＩＣチップを内蔵する第２内蔵例を該内蔵部を拡大して示す図１におけるパスポートのＡ−Ａ線断面図、Ｂは同Ｂ−Ｂ線断面図。
【図４】ＡはカバーにＩＣチップを内蔵する第３内蔵例を該内蔵部を拡大して示す図１におけるパスポートのＡ−Ａ線断面図、Ｂは同Ｂ−Ｂ線断面図。
【図５】ＡはＩＣカードの断面図、Ｂは同平面図。
【図６】Ａ，Ｂ，Ｃは図２に示す電子パスポートの製造工程を説明する断面図であり、ＡはＩＣカードにカバー裏張りシートを貼付しＩＣカード担持シートを形成する工程、Ｂは該ＩＣカード担持シートにビザシートを糸綴じしパスポート本体を形成する工程、Ｃは該パスポート本体にカバーを貼付し電子パスポートを形成する工程を夫々説明する図。
【図７】上記図６におけるＩＣカード担持シートを形成する工程に用いる装置を例示する斜視図。
【図８】Ａ，Ｂ，Ｃ，Ｄは図３に示す電子パスポートの製造工程を説明する断面図であり、ＡはＩＣカードに保護フィルムを貼付する工程、ＢはＩＣカードにカバー裏張りシートを貼付しＩＣカード担持シートを形成する工程、Ｃは該ＩＣカード担持シートにビザシートを糸綴じしパスポート本体を形成する工程、Ｄは該パスポート本体にカバーを貼付し電子パスポートを形成する工程を夫々説明する。
【図９】上記図８におけるＩＣカード担持シートを形成する工程に用いる装置を例示する斜視図。
【図１０】Ａ，Ｂ，Ｃ，Ｄ，Ｅは図４に示す電子パスポートの製造工程を説明する断面図であり、ＡはＩＣカードに第１保護フィルムを貼付する工程、Ｂは第２保護フィルムを貼付する工程、ＣはＩＣカードにカバー裏張りシートを貼付しＩＣカード担持シートを形成する工程、Ｄは該ＩＣカード担持シートにビザシートを糸綴じしパスポート本体を形成する工程、Ｅは該パスポート本体にカバーを貼付し電子パスポートを形成する工程を夫々説明する。
【図１１】上記図１０におけるＩＣカード担持シートを形成する工程に用いる装置を例示する斜視図。
【符号の説明】
【０１０８】
１…電子パスポート、２…カバー、３…カバー裏張りシート、４…ＩＣカード、５…マウントシート、６…ＩＣチップ、６ａ…コイルアンテナ、７，７ａ，７ｂ…保護フィルム、７′…原反ロール、８，８′…接着剤、９…後小口、１０…ＩＣカード担持シート、１１…ビザシート、１２…糸綴じ代、１３…接着剤、１４…接着剤、１５…回転吸着ロール、１６…糊付けローラー、１７…プレスロール、１８…搬送路、１９…多点付け熱プレス装置、２０…熱プレス盤、２１…天小口、２２…地小口、２３…前小口
【図１】
2005178234.tif 000003
【図２】
2005178234.tif 000004
【図３】
2005178234.tif 000005
【図４】
2005178234.tif 000006
【図５】
2005178234.tif 000007
【図６】
2005178234.tif 000008
【図７】
2005178234.tif 000009
【図８】
2005178234.tif 000010
【図９】
2005178234.tif 000011
【図１０】
2005178234.tif 000012
【図１１】
2005178234.tif 000013